(57)【特許請求の範囲】
【請求項１】
槽内に、直立状態で配設され被処理水が導入されるチャンバ、及び、略水平方向に延び前記チャンバ内の被処理水を前記槽内に分配供給する筒状のディストリビュータを備え、前記槽内に生じた凝集フロックを沈降分離させる凝集沈殿処理装置において、
前記ディストリビュータの先端部は、開閉可能であることを特徴とする凝集沈殿処理装置。
【請求項２】
前記ディストリビュータの前記先端部は、取り外し可能であることを特徴とする請求項１記載の凝集沈殿処理装置。
【請求項３】
前記ディストリビュータの前記先端部は、当該先端部のスライドにより取り外し可能であることを特徴とする請求項２記載の凝集沈殿処理装置。
【請求項４】
前記ディストリビュータの前記先端部は、一軸を支点として開閉可能に取り付けられていることを特徴とする請求項１記載の凝集沈殿処理装置。
【請求項５】
前記ディストリビュータの前記先端部は、一箇所の取り付けを解除することにより開とすることが可能であることを特徴とする請求項１〜４の何れか一項に記載の凝集沈殿処理装置。
【発明の詳細な説明】
【技術分野】
【０００１】
本発明は、凝集沈殿処理装置に関する。
【背景技術】
【０００２】
従来、被処理水中の懸濁物質や凝集フロック等を沈降分離させて被処理水を清澄化する凝集沈殿処理装置として、以下の特許文献１に記載のものが知られている。この特許文献１に記載の凝集沈殿処理装置は、槽内の中央に立設され被処理水が導入されると共に懸濁物質等の凝集を行う筒状のミキシングチャンバと、略水平方向に延び、ミキシングチャンバ内の凝集フロックを有する被処理水を槽内に分配供給する吐出口を複数備える筒状のディストリビュータと、を具備し、槽内で粗大化した凝集フロックを沈降して分離させるものである。
【先行技術文献】
【特許文献】
【０００３】
【特許文献１】特開２００３−２０５２０６号公報
【発明の概要】
【発明が解決しようとする課題】
【０００４】
しかしながら、上記凝集沈殿処理装置にあっては、使用に連れて、ディストリビュータ内に固体分が残留し溜まっていくことから、ディストリビュータ内の洗浄が必要となる。
【０００５】
ここで、ディストリビュータ内を洗浄する場合、槽内の水を全部抜いてから作業者が槽内に入って以下の作業を行うのが一般的である。すなわち、作業者は、ディストリビュータの基端側（根元側の）フランジ部のボルト結合を解除することによりディストリビュータを取り外し、このように分解したディストリビュータを持って洗浄しやすい姿勢にしてから、ディストリビュータ内の洗浄を行うことになる。このように重量のあるディストリビュータを持って移動させる必要があることから、作業が大変であり、ディストリビュータ内の洗浄作業を容易にしたいという要望がある。
【０００６】
本発明は、このような課題を解決するために成されたものであり、ディストリビュータ内の洗浄作業が容易となる凝集沈殿処理装置を提供することを目的とする。
【課題を解決するための手段】
【０００７】
本発明による凝集沈殿処理装置は、槽内に、直立状態で配設され被処理水が導入されるチャンバ、及び、略水平方向に延びチャンバ内の被処理水を槽内に分配供給する筒状のディストリビュータを備え、槽内に生じた凝集フロックを沈降分離させる凝集沈殿処理装置において、ディストリビュータの先端部は、開閉可能であることを特徴としている。
【０００８】
このような凝集沈殿処理装置によれば、ディストリビュータを基端側から分解することなく、ディストリビュータの先端部を開けるという簡易な作業で、ディストリビュータ内を洗浄できる。すなわち、ディストリビュータ内の洗浄作業が容易となる。
【０００９】
ここで、ディストリビュータの先端部は、取り外し可能であると、ディストリビュータに比して軽量な先端部を取り扱うことにより開閉でき、開閉作業が簡易となる。
【００１０】
また、ディストリビュータの先端部は、当該先端部のスライドにより取り外し可能であると、先端部を持つことなくスライドにより開閉でき、開閉作業が一層簡易となる。
【００１１】
また、ディストリビュータの先端部は、一軸を支点として開閉可能に取り付けられていると、開閉の際に先端部が一軸を支点として支えられるため、開閉作業が簡易となる。
【００１２】
また、ディストリビュータの先端部は、一箇所の取り付けを解除することにより開とすることが可能であると、操作が容易であり、開閉作業が一層簡易となる。
【発明の効果】
【００１３】
本発明によれば、ディストリビュータ内の洗浄作業が容易となる凝集沈殿処理装置を提供できる。
【図面の簡単な説明】
【００１４】
【図１】本発明の実施形態に係る凝集沈殿処理装置を示す概略構成図である。
【図２】図１中のディストリビュータの先端部を拡大して示す正面図である。
【図３】図２の右側面図であり、ディストリビュータの蓋部を一軸であるボルトの雄螺子を支点として開閉した状態も表した図である。
【図４】図１中のハンドホールを拡大して示す正面図である。
【図５】図４の右側面図である。
【図６】図５の平面図であり、ハンドホールの蓋部を一軸であるヒンジ機構の軸体を支点として開閉した状態も表した図である。
【発明を実施するための形態】
【００１５】
以下、本発明による凝集沈殿処理装置の好適な実施形態について図面を参照しながら説明する。図１は、凝集沈殿処理装置を示す概略構成図、図２は、図１中のディストリビュータの先端部を示す正面図、図３は、図２の右側面図、図４は、図１中のハンドホールを示す正面図、図５は、図４の右側面図、図６は、図５の平面図である。
【００１６】
図１に示すように、凝集沈殿処理装置１００は、導入された被処理水に対して凝集沈殿処理を行うものである。なお、被処理水の種類は特に限定されず、無機排水でも有機排水でも良く、活性汚泥処理等による処理水が被処理水として導入されても良い。
【００１７】
凝集沈殿処理装置１００は、汚泥を沈降分離するための有底筒状の槽１と、槽１内に直立状態で配設された筒状のミキシングチャンバ２と、ミキシングチャンバ２内の被処理水を槽１内に分配供給するディストリビュータ３と、を概略備える。この凝集沈殿処理装置１００は、より具体的には、槽１内に直立状態で配設されたミキシングチャンバ２内に被処理水を導入すると共に、ミキシングチャンバ２内に被処理水中の懸濁物質を凝集させるための各種添加剤を添加することによって、添加剤とフロックとの接触性を高めてフロックを集合させた凝集フロックを生成する。そして、ミキシングチャンバ２内の凝集フロックを含む被処理水を、略水平方向に延び回転する筒状のディストリビュータ３から槽１内に均等に分散供給し槽１内に均等な上昇流を形成することによって、凝集フロック（粗大フロックとも呼ぶ）を沈降分離させて槽１内の底部に濃縮汚泥層Ａを形成する。そして、この濃縮汚泥層Ａの上に、凝集フロック分離槽、上澄みである清澄層を順に形成する。
【００１８】
ディストリビュータ３は、ミキシングチャンバ２に連通すると共に、当該ミキシングチャンバ２の下端部を水封しながら回転するものであり、ここでは、ミキシングチャンバ２を間に挟むようにして一対が配置される。これらのディストリビュータ３は、センタシャフト４に連結されて回転する。センタシャフト４は、ミキシングチャンバ２の軸心位置において上下方向に延びるように配置され、駆動源Ｍの駆動により回転する。なお、ディストリビュータ３の個数は特に限定されるものではなく、１個又は３個以上であっても良い。このディストリビュータ３の最下部には、ミキシングチャンバ２内の凝集フロックを含む被処理水を槽１内に吐出するための吐出孔５が、ディストリビュータ３の長手方向に沿って一列に複数個が穿設されている。なお、吐出孔５の位置はディストリビュータ３の最下部に限定されず他の位置でも良く、また、個数や配列は特に限定されない。また、ここでは、ディストリビュータ３が回転するようになっているが、複数のディストリビュータ３が固定配置され回転しないものもある。
【００１９】
センタシャフト４は、ディストリビュータ３よりも下方に延長されており、その先端にレーキ６が固定される。レーキ６は、凝集フロックが沈降して形成する汚泥の濃縮に寄与すると共に、汚泥ラインＬ１を通して濃縮汚泥を排出すべく槽底面中央に汚泥を掻き寄せる。
【００２０】
また、槽１内の上部にはトラフ７が設けられており、このトラフ７を越流した槽１内の上澄水が処理水として槽外部に流出されるようになっている。
【００２１】
ここで、ディストリビュータ３の先端部は、従来のような閉塞とはなっておらず、開閉可能となっている。具体的には、ディストリビュータ３の先端部は蓋部８を有し、当該蓋部８によりディストリビュータ３の先端部の開閉が可能となっている。
【００２２】
より具体的には、図２に示すように、ディストリビュータ３の先端部には、フランジ部９が円環状に設けられる。このフランジ部９の下部にあっては、ボルト１０の頭部１０ａがフランジ部９の裏面（図示左側の面）に溶接固定され、ボルト１０の軸部である雄螺子１０ｂがフランジ部９を貫き表面（図示右側の面）から外方へ突出し、さらに蓋部８を貫くように配置される。
【００２３】
また、ディストリビュータ３の上方には、ディストリビュータ３の軸線に沿って平行に延びる長尺な円柱状の軸体が１１が配置されている。この軸体１１の先端側（図示右側）には雄螺子１１ａが形成されている。軸体１１は、その後端部において軸線に直交し且つ水平方向（紙面垂直方向）に延びるピン３０が、ディストリビュータ３の上部に設けられた突設部３１に回動可能に支持されることにより、軸体１１の先端側が上下方向に回動可能となっている。また、フランジ部９の裏面には、図３に示すように、蓋部８を閉の位置で留めるための平板状のストッパ１２が外周面から外方へ突き出るように設けられる。
【００２４】
蓋部８は、図２及び図３に示すように、フランジ部９を先端側から覆うような円板状に構成され、フランジ部９に対面して当接しディストリビュータ３の先端部を閉じるようになっている。蓋部８の下部には、フランジ部９のボルト１０の雄螺子１０ｂが通されるボルト孔（不図示）が開口されており、図３に示すように、蓋部８の上部には、上方から切り欠かれ軸体１１の雄螺子１１ａが上方から進入可能なＵ溝１６が設けられる。また、蓋部８の表面には、フランジ部９のストッパ１２に当接するための平板状のストッパ１３が設けられる。このストッパ１３は、蓋部８の外周面から外方且つ後方（図２の左側、図３の紙面奥側）へ延びストッパ１２に当接することが可能である。
【００２５】
そして、ストッパ１２，１３同士が当接しフランジ部９に対して蓋部８が重ねられた状態で、ボルト１０の雄螺子１０ｂに対して蝶ナット１４が締め込まれることにより、蓋部８の下部がフランジ部９に固定されると共に、軸体１１の雄螺子１１ａがＵ溝１６に上方から進入し当該雄螺子１１ａに対して蝶ナット１５が締め込まれることにより、蓋部８の上部がフランジ部９に固定される。すなわち、この状態で、ディストリビュータ３の先端部が、蓋部８により閉とされた（蓋された）状態となっている。
【００２６】
また、図１に示すように、槽１を構成する筒状の胴部１ａには、開閉可能な開口部が設けられる。この開閉可能な開口部を、ここでは、ハンドホール２０と呼ぶ。このハンドホール２０は、図４〜図６に示すように、槽１内に連通する筒状のパイプ部２１と、パイプ部２１の外側（図４における右側）を開閉する蓋部２２と、を備える。
【００２７】
ハンドホール２０は、ディストリビュータ３と同じ高さに設けられる。ハンドホール２０の個数は特に限定されず、本実施形態では１個とされているが、複数個が設けられていても良い。なお、ディストリビュータ３が回転せず固定されている場合には、ハンドホール２０は、ディストリビュータ３の先端部である蓋部８と対向する位置に設けられる。
【００２８】
ハンドホール２０を構成するパイプ部２１は、その内径、すなわち開口部の径が、ディストリビュータ３の先端部である蓋部８の径より大きくなっている。このパイプ部２１の外端部には、フランジ部２３が円環状に設けられる。
【００２９】
蓋部２２は、その外周面が、フランジ部２３の外周面と一致するサイズの円板状に構成され、フランジ部２３に対面して当接しパイプ部２１を閉じるようになっている。蓋部２２とフランジ部２３とは、図５及び図６に示すように、これらの側部同士が、上下方向に延びる長尺な円柱状の軸体２４を支点としたヒンジ機構２５により回動可能に連結される。また、蓋部２２及びフランジ部２３には、外周側の位置に周方向に沿って一定間隔でボルト孔２６が多数開口されている。蓋部２２のボルト孔２６とフランジ部２３のボルト孔２６とは、全てが重なるように配置されている。
【００３０】
そして、パイプ部２１のフランジ部２３に対して蓋部２２が重ねられた状態で、フランジ部２３に対して蓋部２２がボルト結合されることにより、パイプ部２１が、蓋部２２により閉とされた（蓋された）状態となっている。この状態で、蓋部２２とフランジ部２３との間にはパッキン（不図示）が円環状に介在しており、水密が図られている。また、蓋部２２の表面には、開閉の際に利用される把手２７が設けられている。なお、図４〜図６においては、パイプ部２１のフランジ部２３に対して蓋部２２を固定するためのボルトは省略されており、図５のみにボルト孔２６が描かれている。
【００３１】
このように構成された凝集沈殿処理装置１００において、ディストリビュータ３内の洗浄を行う場合には、先ず、凝集沈殿処理装置１００の運転を停止し、槽１内の水をディストリビュータ３の下の辺りまで（ディストリビュータ３が出現する位置まで）抜く。
【００３２】
次いで、ディストリビュータ３の蓋部８が、ハンドホール２０に対向するようにディストリビュータ３を回転・停止させる。なお、水抜き前に、点検窓等を介して目視しながら、ディストリビュータ３の蓋部８が、ハンドホール２０に対向するようにディストリビュータ３を回転・停止させても良い。また、蓋部８とハンドホール２０とが概ね対向していれば、ディストリビュータ３を移動させなくても良い。なお、ディストリビュータ３が固定の場合には、元々、蓋部８とハンドホール２０とは対向しているため、この対向作業はスキップする。
【００３３】
次いで、作業者は、ハンドホール２０のボルト結合を解除し、把手２７を手で持ち、ヒンジ機構２５の軸体２４を支点として蓋部２２を回動させ、図６に仮想線で示すように、蓋部２２を閉から開とする。
【００３４】
次いで、作業者は、パイプ部２１内に手を入れることにより、ディストリビュータ３の先端部へのアクセス（接近）が可能となる。このとき、ハンドホール２０（パイプ部２１）は、ディストリビュータ３と同じ高さに設けられているため、ディストリビュータ３の蓋部８へのアクセスは容易である。
【００３５】
そして、作業者は、下部の蝶ナット１４を若干緩めると共に、上部の蝶ナット１５を多少緩め螺合を解除することなく軸体１１をピン３０を支点として上方へ回動し取り付けを解除する。
【００３６】
ここで、下部の蝶ナット１４は若干緩められているが、取り付けは解除されていないため、蝶ナット１４を蓋部８の抜け止めとして機能させながら、ボルト１０（雄螺子１０ｂ）を支点として蓋部８を下方へ回動させ（自重により回動させ）、図３に仮想線で示すように、蓋部８を閉から開とする。この際、蓋部８は、一軸であるボルト１０（雄螺子１０ｂ）を支点として支えられるため、その作業は容易である。また、蓋部８は、一箇所の取り付け（軸体１１による取り付け）を解除することにより開にできるため、その操作は容易である。
【００３７】
このような作業者による蓋部８の開作業に際し、ハンドホール２０を構成するパイプ部２１の内径、すなわち開口部の径が、ディストリビュータ３の蓋部８の径より大きくなっているため、その作業を容易にできる。
【００３８】
そして、作業者は、洗浄手段である例えば長尺な高圧洗浄ノズル等を、ハンドホール２０を通してディストリビュータ３内に進入させ、ディストリビュータ３内の洗浄を行う。
【００３９】
ここで、ディストリビュータ３が複数個でハンドホール２０が１個の場合には、ディストリビュータ３を回転・停止させて、ディストリビュータ３の洗浄を順次行う。また、ディストリビュータ３が複数個の場合、ハンドホール２０をディストリビュータ３の個数分設け、ディストリビュータ３の回転・停止により、各ディストリビュータ３の先端部が、各ハンドホール２０にそれぞれ対向させるようにしても良い。また、複数のディストリビュータ３が固定の場合には、前述したように、各ハンドホールを、各ディストリビュータ３の先端部に対向する位置に配置する必要がある。
【００４０】
そして、洗浄が終わったら、作業者は、ボルト１０（雄螺子１０ｂ）を支点として蓋部８を上方へ回動させ、蝶ナット１４，１５を締め込むことにより蓋部８を開から開とし、次いで、ヒンジ機構２５の軸体２４を支点として蓋部２２を回動させボルト結合することにより、蓋部２２を開から閉とする。
【００４１】
このように、本実施形態においては、ハンドホール２０及び蓋部８を開とすることにより、ディストリビュータ３内を洗浄できるため、槽１内の水を全部抜くことなく、槽１外からディストリビュータ３内の洗浄作業を極めて容易に行うことができる。
【００４２】
因みに、ディストリビュータ３の吐出孔５や当該吐出孔５の近辺の外周面を直接外方から洗浄したい場合には、ハンドホール２０は、ディストリビュータ３の先端部の対向位置より多少下方に位置している方が作業性が良い。従って、ハンドホール２０は、必ずしもディストリビュータ３と同じ高さに設けられていなくても良く、ディストリビュータ３の高さに応じて設けられていれば良い。
【００４３】
なお、ここでは、ディストリビュータ３の先端部を開閉可能とする蓋部８を設けると共に、槽１の胴部１ａに開閉可能な開口部としてのハンドホール２０を設け、槽１外からディストリビュータ３内の洗浄作業を極めて容易とする例を述べているが、ハンドホール２０がない場合でも以下の作用・効果を奏する。
【００４４】
すなわち、槽１内の水を全部抜いてから作業者が槽１内に入ることになるが、従来技術で説明したような、重量のあるディストリビュータ３を基端側（図１中のミキシングチャンバ２寄りのフランジ部）から分解して取り外し当該分解したディストリビュータ３を持って洗浄しやすい姿勢にしてからディストリビュータ３内の洗浄を行うという大変な作業は必要とされず、ディストリビュータ３の先端部の蓋部８を開にするという簡易な作業で、ディストリビュータ３内を洗浄できる。その結果、ディストリビュータ３内の洗浄作業が容易となる。
【００４５】
また、ハンドホール２０がある場合も同様であるが、ディストリビュータ３の先端部の蓋部８は、図２及び図３で説明したように、一軸であるボルト１０（雄螺子１０ｂ）を支点として開閉可能に取り付けられているため、開閉の際に蓋部８が一軸を支点として支えられることになり、開閉作業が簡易となる。なお、このような一軸を支点とした開閉可能な構成としては、ハンドホール２０で用いているヒンジ機構（軸体２４を一軸とした回動機構）を用いることもできる。
【００４６】
また、ハンドホール２０がある場合も同様であるが、ディストリビュータ３の先端部である蓋部８は、図２及び図３で説明したように、一箇所の取り付け（軸体１１による取り付け）を解除することにより開にできるため、操作が容易であり、開閉作業が一層簡易となる。
【００４７】
なお、ディストリビュータ３の先端部である蓋部８は、上記のような一軸を支点とした開閉可能な構成や、一箇所の取り付けの解除により開とする構成以外も採用可能であり、単に蓋部８がディストリビュータ３に対して取り外し可能な構成も採用できる。これによれば、ディストリビュータ３に比して軽量な蓋部８を取り扱うことにより開閉でき、開閉作業が簡易となる。
【００４８】
また、ディストリビュータ３の蓋部８をスライド可能とする機構を設け、蓋部８のスライドにより取り外し可能な構成も採用できる。これによれば、蓋部８を持つことなくスライドにより開閉でき、開閉作業が一層簡易となる。
【００４９】
なお、これらの蓋部８の取り外し可能な構成に対して、一箇所の取り付けの解除により開とする構成を併用することも可能である。
【００５０】
以上、本発明をその実施形態に基づき具体的に説明したが、本発明は上記実施形態に限定されるものではなく、例えば、上記実施形態においては、ディストリビュータ３の先端部を円板状の蓋部８としているが、例えば、筒形状の先端側が閉じられると共に後端側にディストリビュータ３に取り付け可能なフランジ部を有する構成であっても良く、要は、ディストリビュータの先端部は、開閉可能になっていれば良い。
【符号の説明】
【００５１】
１…槽、２…チャンバ、３…ディストリビュータ、８…蓋部（先端部）、１０…ボルト、１０ｂ…雄螺子（一軸）、１５…蝶ナット、２４…軸体（一軸）、１００…凝集沈殿処理装置。
【図１】
0006580507.tif 000002
【図２】
0006580507.tif 000003
【図３】
0006580507.tif 000004
【図４】
0006580507.tif 000005
【図５】
0006580507.tif 000006
【図６】
0006580507.tif 000007